(57)【要約】      （修正有）【課題】スロット部を覆う回転ドアが外れた場合に、筐体の外部から回転ドアの装着を可能にする。【解決手段】筐体に形成された挿入スロット４を回動自在に覆う回転ドアの両端内側に突設され１対のアームの先端外側に突設された支軸を、前記アームを内側に弾性変形させながら、筐体の内側に突設されたブラケット６３に形成された軸孔６５に挿入嵌合する回転ドアの支持構造において、前記支軸が前記筐体を通過して前記ブラケット６３の軸孔６５に到達するまでの移動軌跡の外側の前記ブラケット６３上に凹溝６７を配設する。【選択図】図４
2006303053.tif 000002
【特許請求の範囲】
【請求項１】
回動軸の両端の外側または内側に支軸を突設した断面コ字形の回転ドアを、前記支軸部分を内側または外側に押圧変形させながら、軸孔に挿入嵌合させる回転ドアの支持構造において、
前記支軸を押圧変形させた状態で前記軸孔の半径方向に案内する凹溝を前記軸孔の半径方向外側部分に形成したことを特徴とする回転ドアの支持構造。  
【請求項２】
筐体に形成された開口部を回動自在に覆う回転ドアの両端内側に突設され１対のアームの先端外側に突設された支軸を、前記アームを内側に弾性変形させながら、筐体内側に突設されたブラケットに形成された軸孔に挿入嵌合する回転ドアの支持構造において、
前記支軸が前記筐体を通過して前記ブラケットの軸孔に到達するまでの移動軌跡の外側の前記ブラケット上に凹溝を配設したことを特徴とする回転ドアの支持構造。
【請求項３】
請求項２に記載の回転ドアの支持構造において、
前記アームが前記筐体を通過する部分の筐体内側に鞘部を突設し、該鞘部の内面の外側とブラケット内側面を連続させ、前記凹溝の一方の内側面と前記鞘部の内側一端とを一致させたことを特徴とする回転ドアの支持構造。
【請求項４】
請求項１乃至３のいずれかに記載の回転ドアの支持構造をメモリカードのスロット部に備えたことを特徴とする薄型表示装置。
【請求項５】
請求項１乃至３のいずれかに記載の回転ドアの支持構造を有することを特徴とする電子機器。
【発明の詳細な説明】
【技術分野】
【０００１】
本発明は、メモリカードの挿入スロット等を覆う回転ドアの支持構造およびその回転ドアを備えた薄型表示装置、電子機器に関する。
【背景技術】
【０００２】
従来、メモリカードを使用する電子機器におけるメモリカードの挿入スロットの構造としては、特許文献１に記載のものがある。これは挿入方向を水平にしたスロット口に、フラップドアと称される蓋が閉じ方向に付勢されて軸支されており、メモリカードを挿入したときに、その蓋がメモリカードの先端に押されて内側に回動して開く。また、メモリカードが抜き取られたときには、蓋がばね力で戻りスロット口を閉じ、スロット口からのゴミ等の異物の侵入を防止することができる。
【特許文献１】実開平７−３６２５２号公報
【発明の開示】
【発明が解決しようとする課題】
【０００３】
ところで、薄型テレビに設けられたメモリカードの挿入スロットを覆う回転ドアの支持構造としては、図３、図７〜図１１のように構成されることがある。図３および図７に示されるように、メモリカードの挿入スロット４を、薄型テレビの背面側の筐体３の上端角部に配設し、その挿入スロット４への異物進入を防ぐために、挿入スロット４の上方が回転ドア２により覆われている。この回転ドア２は、筐体３の背面側への回動が可能である。
【０００４】
図７は、薄型テレビ本体の背面側の筐体３の内側を示し、メモリカードの装着機構を除去して、回転ドア２の支持構造を示す斜視図である。図８は、図７から回転ドア２の回動速度を抑制するダンパ機構５を除去した状態を示す斜視図である。図９は、図８から回転ドア２を取り外した状態を示す斜視図である。図１０は、図９の筐体３を拡大して示した斜視図である。図１１は、図１０の横断面図である。
【０００５】
これらの図に示されるように、筐体３に、挿入スロット４が形成され、その挿入スロット４の長手方向延長上の筐体３の内側に、回転ドア２のアーム２１，２２が挿入される鞘部３１，３２が突設されている。この鞘部３１，３２に、筐体３の外側から回転ドア２のアーム２１，２２が挿入される。また、筐体３の内側の鞘部３１，３２の延長上には、筐体３からブラケット３３，３４が突設されて、その軸孔３５，３６に、アーム２１，２２の先端近くの外側に突設された支軸２３，２４が嵌合される。
【０００６】
この回転ドア２のアーム２１，２２を、ブラケット３３，３４に装着する場合は、支軸２３，２４の部分を互いに内側に押圧して、アーム２１，２２を弾性変形させて、ブラケット３３，３４の軸孔３５，３６に嵌合させていた。これらの組立作業は、筐体３がまだ閉じられていない、開放状態で行われるため容易に行える作業である。しかしながら、筐体３が、いったん組付けられて閉じた後に、調整等のために、メモリカードの挿入スロット４に、作業者が手を挿入して、作業をすることがある。このとき、回転ドア２は、開放されるが、その操作の際に、回転ドア２の長手方向に不当な外力が加えられると、回転ドア２のアーム２１，２２が変形して、支軸２３，２４の一方が、軸孔３５，３６のいずれかから抜け出て、回転ドア２が筐体３から外れてしまうことがあった。
【０００７】
いったん、回転ドア２が筐体３から外れてしまうと、筐体３の外側から、回転ドア２のアーム２１，２２を鞘部３１，３２に挿入しただけでは、アーム２１，２２を内側へ弾性変形させて位置合わせをすることができないため、回転ドア２を装着することは不可能であった。そのため、この場合は、筐体３をいったん取り外して開放し、筐体３の内側から装着しなければならず、そのための作業が、組立調整工程での大きなロスとなっていた。そこで、本発明は、回転ドアを筐体の外側から装着可能にして、組立工程での作業ロスを低減することを目的とした。
【課題を解決するための手段】
【０００８】
上記課題を解決するために、本発明に係る回転ドアの支持構造は、回動軸の両端の外側または内側に支軸を突設した断面コ字形の回転ドアを、前記支軸部分を内側または外側に押圧変形させながら、軸孔に挿入嵌合させる回転ドアの支持構造において、前記支軸を押圧変形させた状態で前記軸孔の半径方向に案内する凹溝を前記軸孔の半径方向外側部分に形成したことを特徴とする。  
【０００９】
本発明に係る回転ドアの支持構造は、筐体に形成された開口部を回動自在に覆う回転ドアの両端内側に突設され１対のアームの先端外側に突設された支軸を、前記アームを内側に弾性変形させながら、筐体内側に突設されたブラケットに形成された軸孔に挿入嵌合する回転ドアの支持構造において、前記支軸が前記筐体を通過して前記ブラケットの軸孔に到達するまでの移動軌跡の外側の前記ブラケット上に凹溝を配設したことを特徴とする。
【００１０】
ここで、前記アームが前記筐体を通過する部分の筐体内側に鞘部を突設し、該鞘部の内面の外側とブラケット内側面を連続させ、前記凹溝の一方の内側面と前記鞘部の内側一端とを一致させることが好ましい。
なお、前記回転ドアの支持構造は、メモリカードのスロット部に備えた薄型表示装置に適用可能であり、さらには、電子機器にも適用可能である。
【発明の効果】
【００１１】
以上述べたように本発明によれば、両端に支軸を突設した回転ドアを、その支軸部分を外側または内側に変形しながら軸孔に挿入嵌合させる際に、支軸部分を凹溝に案内させることで、挿嵌作業が容易確実となり、作業性が向上する。特に、軸孔が筐体内に形成されている場合は、回転ドアを筐体の外部から挿入するだけで、嵌合されるため、筐体を開放することが不要となり、作業時間が大幅に短縮される。
【発明を実施するための最良の形態】
【００１２】
以下、図に基づいて本発明の実施形態を説明する。
図１は本発明を薄型テレビのメモリカードのスロット部を覆う回転ドアに適用した場合の外観図であり、図２は図１の平面図である。図１および図２に示されるように、薄型テレビは、放送信号等を表示するための画像表示部１１、画像表示部１１を表示部以外で覆うように配置された筐体１２、放送信号等のうち音声情報を送出するためのスピーカを内蔵し画面の左右に配置されたスピーカーボックス１３、メモリカード１５を挿入するためのスロット部１４、これら一連の部材を一体的に支持するスタンド１６から主に構成される。
【００１３】
図３は、図２のスロット部１４を斜め上方から見た斜視図である。スロット部１４は、筐体１２の背面側の筐体３の上端の角部に配設され、異物進入を防ぐために、回転ドア２により覆われている。この回転ドア２は、メモリカード１５の挿抜の際、背面側への回動が可能である。この回転ドア２を支持する背面側の筐体３の内部は、基本的には、発明が解決しようとする課題の欄で説明した図７乃至図１１のように構成されているため、図示および詳細な説明は省略する。
【００１４】
図４は、本発明の特徴である回転ドアの支軸２３等が嵌合されるブラケットの片側部分を示す斜視図であり、図５は図４の横断面図である。図示されるように、従来技術のブラケット３３に相当するブラケット６３を、鞘部３１側へ延設するとともに、軸孔６５から鞘部３１の一端までの間に、軸孔６５の径と略等しい幅をした凹溝６７を形成する。凹溝６７の底面のレベルは、鞘部３１の内面の外側の面と同一とする。
【００１５】
なお、図示しないが、従来技術のブラケット３４に相当する右側のブラケット６４についても、鞘部３２側へ延設するとともに、軸孔６６から鞘部３２の一端までの間に、軸孔６６の径と略等しい幅をした凹溝６８を形成する。凹溝６８の底面のレベルは、鞘部３２の内面の外側の面と同一とする。また、図５に示されるように、凹溝６７の一方の内側面６７ａと鞘部３１の内側の一方の端部３１ａを同一直線上となるように配置する。同様に、図示しない反対側のブラケット６４の凹溝６８部分も、凹溝６８の一方の内側面６８ａと鞘部３２の内側の一方の端部３２ａを同一直線上となるように配置する。
【００１６】
図６は、図４および図５に示された鞘部３１，３２およびブラケット６３，６４へ装着される回転ドア２を示す斜視図である。回転ドア２を装着する場合は、筐体３の外側から、鞘部３１，３２へ、回転ドア２のアーム２１，２２を、回転ドア２が閉状態の姿勢で挿入する。挿入されたアーム２１，２２の支軸２３，２４は、軸方向内側に押圧されて挿入され、鞘部３１，３２を通過するとき、鞘部３１，３２の右端部３１ａ（図５に表示）等に沿って移動して、次に、凹溝６７，６８内に進入する。凹溝６７，６８を通過した後、軸孔６５，６６に到達して、外側へ復元されながら嵌合する。
【００１７】
このようにして、回転ドア２は、所定の姿勢に保持しながら、アーム２１，２２を筐体３の鞘部３１，３２に挿入するだけで、ワンタッチで装着可能となり、図１および図２の薄型テレビの場合は、背面の筐体３を組み付けた後、メモリカードスロット部の調整のため、回転ドア２が外れた場合でも、筐体３を取り外すことなく、回転ドア２を元の状態に装着することが可能となる。なお、図示例は、回転ドア２のアーム２１，２２の先端外側に、支軸２３，２４を突設していたが、内側へ突設した場合も同様に構成することが可能である。また、図６中の２５は、ダンパ機構５に噛合するピニオンである。また、本発明は、薄型テレビ等の薄型表示装置以外の、回転ドアを備えた電子機器に適用可能である。
【産業上の利用可能性】
【００１８】
本発明は、メモリカードのスロット部を備えた薄型表示装置以外に、他の電子機器にも利用可能である。
【図面の簡単な説明】
【００１９】
【図１】本発明を薄型表示装置に適用した場合の外観図である。
【図２】図１の平面図である。
【図３】図２のスロット部を斜め上方から見た斜視図である。
【図４】回転ドアの支軸が嵌合されるブラケットの片側部分を示す斜視図である。
【図５】図４の横断面図である。
【図６】筐体へ装着される回転ドアを示す斜視図である。
【図７】従来例の筐体内部を示す斜視図である。
【図８】従来例の筐体内部を示す斜視図である。
【図９】従来例の回転ドアを外した状態を示す斜視図である。
【図１０】従来例の筐体内部を示す斜視図である。
【図１１】図１０の横断面図である。
【符号の説明】
【００２０】
２  回転ドア
３  筐体
４  挿入スロット
１１  画像表示部
１２  筐体
１３  スピーカーボックス
１４  スロット部
１５  メモリカード
１６  スタンド
２１，２２  アーム
２３，２４  支軸
２５  ピニオン
３１  鞘部
３１ａ  端部
３２  鞘部
３２ａ  端部
６３，６４  ブラケット
６５，６６  軸孔
６７  凹溝
６７ａ  内側面
６８  凹溝
６８ａ  内側面
【図１】
2006303053.tif 000003
【図２】
2006303053.tif 000004
【図３】
2006303053.tif 000005
【図４】
2006303053.tif 000006
【図５】
2006303053.tif 000007
【図６】
2006303053.tif 000008
【図７】
2006303053.tif 000009
【図８】
2006303053.tif 000010
【図９】
2006303053.tif 000011
【図１０】
2006303053.tif 000012
【図１１】
2006303053.tif 000013